(57)【要約】【課題】浴槽栓の閉め忘れの誤報知の発生を抑制する。【解決手段】湯張り運転において浴槽栓の閉め忘れを報知する報知部２０３と、浴槽水の水位が浴槽アダプタ４８を超えているか否かを示す水位情報を取得する取得部２０１と、浴槽３０への湯水の供給を制御する供給制御部１０５と、報知部２０３の動作を制御する報知部駆動制御部１０７と、を備え、湯張り運転において、供給制御部１０５が第１の量の湯水を供給する第１の供給処理を実行した後、取得部２０１によって浴槽水の水位が浴槽アダプタ４８を超えていない旨の水位情報が取得された場合、供給制御部１０５は第２の量の湯水を供給する第２の供給処理を更に実行し、第２の供給処理を実行した後、取得部２０１によって浴槽水の水位が浴槽アダプタ４８を超えていない旨の水位情報が取得された場合、報知部駆動制御部１０７が報知部２０３に浴槽栓の閉め忘れを報知させる、給湯機３５を提供する。【選択図】図４
2020091075.tif 000002
【特許請求の範囲】
【請求項１】
浴槽の内壁に設けられた浴槽アダプタを介して前記浴槽に湯水を供給する湯張り運転において、浴槽栓の閉め忘れを報知する報知部と、
浴槽水の水位が前記浴槽アダプタを超えているか否かを示す水位情報を取得する取得部と、
前記浴槽アダプタを介した前記浴槽への湯水の供給を制御する供給制御部と、
前記報知部の動作を制御する報知部駆動制御部と、
を備え、
前記湯張り運転において、前記供給制御部が第１の量の湯水を供給する第１の供給処理を実行した後、前記取得部によって浴槽水の水位が前記浴槽アダプタを超えていない旨の前記水位情報が取得された場合、前記供給制御部は第２の量の湯水を供給する第２の供給処理を更に実行し、前記第２の供給処理を実行した後、前記取得部によって浴槽水の水位が前記浴槽アダプタを超えていない旨の前記水位情報が取得された場合、前記報知部駆動制御部が前記報知部に浴槽栓の閉め忘れを報知させる、
給湯機。
【請求項２】
前記供給制御部による湯水の供給量を設定する供給量設定部、を更に備え、
前記供給量設定部は、前記第２の供給処理を実行した後、前記取得部によって浴槽水の水位が前記浴槽アダプタを超えている旨の前記水位情報が取得された場合、前記第１の量を、前記第１の量と前記第２の量とを足し合わせた量に更新する、
請求項１に記載の給湯機。
【請求項３】
前記供給制御部による湯水の供給量を設定する供給量設定部、を更に備え、
前記報知部が浴槽栓の閉め忘れを報知した後、湯水を更に供給する旨の指示入力があった場合、前記供給制御部は、第３の量の湯水を供給する第３の供給処理を更に実行し、
前記第３の供給処理を実行した後、前記取得部によって浴槽水の水位が前記浴槽アダプタを超えている旨の前記水位情報が取得された場合、前記供給量設定部は、前記第１の量を、前記第１の量、前記第２の量、及び前記第３の量を足し合わせた量に更新する、
請求項１又は２に記載の給湯機。
【請求項４】
前記報知部が浴槽栓の閉め忘れを報知した後、湯張り運転を継続する旨の指示入力があった場合、前記供給制御部は、設定湯量からそれまでに供給した湯水の量を差し引いた量の湯水を供給する制御を実行する、
請求項１〜３のいずれか１項に記載の給湯機。
【請求項５】
前記報知部が浴槽栓の閉め忘れを報知した後、前記湯張り運転を最初から実行する旨の指示入力があった場合、前記供給制御部は、設定湯量の湯水を供給する制御を実行する、
請求項１〜４のいずれか１項に記載の給湯機。
【請求項６】
前記供給量設定部は、更新した前記第１の量を初期化する旨の指示入力があった場合、前記第１の量を初期値に設定する、
請求項２又は３に記載の給湯機。
【請求項７】
前記供給制御部は、前記第１の量及び前記第２の量の少なくともいずれかを供給する際の湯水として、湯張り設定温度よりも低い温度の湯水を供給し、前記第１の量及び前記第２の量の少なくともいずれかを供給した後に供給する湯水として、湯張り設定温度よりも高い温度の湯水を供給する、
請求項１〜５のいずれか１項に記載の給湯機。
【請求項８】
前記供給制御部による湯水の供給量を設定する供給量設定部、を更に備え、
前記供給量設定部は、前記第２の量を設定する際に上限値を設ける、
請求項１〜７のいずれか１項に記載の給湯機。
【請求項９】
前記供給制御部による湯水の供給量を設定する供給量設定部、を更に備え、
前記供給量設定部は、前記浴槽の水平方向における断面積が大きいほど前記第２の量が大きくなるように前記第２の量を設定する、
請求項１〜８のいずれか１項に記載の給湯機。
【請求項１０】
前記報知部は、前記給湯機のリモコンに設けられるスピーカによって構成され、音声により浴槽栓の閉め忘れを報知する、
請求項１〜９のいずれか１項に記載の給湯機。
【請求項１１】
前記報知部は、前記給湯機のリモコンに設けられる表示装置によって構成され、浴槽栓についての情報を表示することにより、浴槽栓の閉め忘れを報知する、
請求項１〜１０のいずれか１項に記載の給湯機。
【請求項１２】
前記報知部は、前記給湯機の外部の機器と通信可能な通信装置によって構成され、浴槽栓についての情報を前記外部の機器に送信することにより、浴槽栓の閉め忘れを報知する、
請求項１〜１１のいずれか１項に記載の給湯機。
【請求項１３】
浴槽の内壁に設けられた浴槽アダプタを介して前記浴槽に湯水を供給する湯張り運転において、浴槽栓の閉め忘れを報知する報知部と、浴槽水の水位が前記浴槽アダプタを超えているか否かを示す水位情報を取得する取得部と、を備える給湯機における前記湯張り運転の制御方法であって、
前記浴槽に第１の量の湯水を供給する第１の供給処理を実行するステップと、
前記第１の供給処理を実行した後に前記取得部によって浴槽水の水位が前記浴槽アダプタを超えていない旨の前記水位情報が取得された場合に、第２の量の湯水を供給する第２の供給処理を実行するステップと、
前記第２の供給処理を実行した後に前記取得部によって浴槽水の水位が前記浴槽アダプタを超えていない旨の前記水位情報が取得された場合に、前記報知部に浴槽栓の閉め忘れを報知させるステップと、
を含む、湯張り運転の制御方法。
【発明の詳細な説明】
【技術分野】
【０００１】
本発明は、給湯機、及び給湯機における湯張り運転の制御方法に関する。
【背景技術】
【０００２】
給湯機における自動湯張り運転（以下、単に湯張り運転と記載する）では、ユーザによって、浴槽にためる湯量（例えば２００Ｌ。以下、設定湯量という）、及び浴槽にためる湯水の温度（以下、設定温度という）が設定され、かかる設定温度に調整された設定湯量の湯水が、浴槽の内壁に設けられた浴槽アダプタから当該浴槽内に供給される。従来、かかる湯張り運転における浴槽栓の閉め忘れ（以下、浴槽栓忘れと略記することがある）を検出する技術が知られている。例えば、特許文献１には、設定湯量よりも少ない、浴槽内の水位が浴槽アダプタを超えるだけの量の湯水を供給した段階で、当該水位が浴槽アダプタを超えたか否かの判定処理を行い、当該水位が浴槽アダプタを超えていないと判定された場合には、浴槽栓忘れが発生していると判定する技術が開示されている。
【０００３】
ここで、上記判定処理では、浴槽アダプタを超える水位を基準として浴槽水の有無を判定することで浴槽栓忘れを検出しているが、これは、特許文献１に記載の給湯機もそうであるが、一般的に給湯機では、その構成上、浴槽アダプタを超える水位で湯水が存在していないと、浴槽内に湯水が存在するか否かの判定を行うことができないからである。具体的には、特許文献１に記載の給湯機では、浴槽アダプタに接続される給湯配管に、当該給湯配管内における水流の有無を検出する水流センサと、当該給湯配管内の水圧を検出することで浴槽内の水位を検出する水位センサと、が設けられている。当該給湯配管は追い焚き用の循環経路を構成しており、ポンプによって当該給湯配管内に浴槽内の湯水を循環させることが可能となっているため、特許文献１に記載の給湯機では、ポンプを動作させ、水流センサによって水流が検出されるか否かに基づいて、上記判定処理が実行されている。あるいは、特許文献１に記載の給湯機では、水位センサによって水位が検出されるか否かに基づいて、上記判定処理が実行されている。
【先行技術文献】
【特許文献】
【０００４】
【特許文献１】特開平１１−３３７１６６号公報
【発明の概要】
【発明が解決しようとする課題】
【０００５】
ここで、上記のような従来の給湯機では、湯張り運転における湯水の供給量は、上記給湯配管に設けられる流量センサの検出値に基づいて制御される。しかしながら、流量センサ自身及び給湯配管等の設備の経年劣化によって、当該流量センサの検出誤差が大きくなることがある。このように流量センサの検出誤差が大きくなった場合には、上述した特許文献１に記載の技術では、当該検出誤差に起因して、浴槽内の水位が浴槽アダプタを超えるだけの量の湯水を供給したつもりであっても、実際には水位が浴槽アダプタを超えない事態が生じ得る。かかる事態が生じると、実際には浴槽栓は閉まっていたとしても、水位は浴槽アダプタを超えていないと判定されることとなるから、浴槽栓忘れが誤報知されてしまう恐れがある。浴槽栓忘れの誤報知は、ユーザの利便性を著しく低下させる。
【０００６】
そこで、本発明は、上記の問題に鑑みてなされたものであり、浴槽栓忘れの誤報知の発生を抑制することにより、ユーザの利便性をより向上させることが可能な給湯機、及び給湯機における湯張り運転の制御方法を提供することを目的とする。
【課題を解決するための手段】
【０００７】
上記目的を達成するために、本発明によれば、浴槽の内壁に設けられた浴槽アダプタを介して前記浴槽に湯水を供給する湯張り運転において、浴槽栓の閉め忘れを報知する報知部と、浴槽水の水位が前記浴槽アダプタを超えているか否かを示す水位情報を取得する取得部と、前記浴槽アダプタを介した浴槽への湯水の供給を制御する供給制御部と、前記報知部の動作を制御する報知部駆動制御部と、を備え、前記湯張り運転において、前記供給制御部が第１の量の湯水を供給する第１の供給処理を実行した後、前記取得部によって浴槽水の水位が前記浴槽アダプタを超えていない旨の前記水位情報が取得された場合、前記供給制御部は第２の量の湯水を供給する第２の供給処理を更に実行し、前記第２の供給処理を実行した後、前記取得部によって浴槽水の水位が前記浴槽アダプタを超えていない旨の前記水位情報が取得された場合、前記報知部駆動制御部が前記報知部に浴槽栓の閉め忘れを報知させる、給湯機が提供される。
【０００８】
上記目的を達成するために、本発明によれば、浴槽の内壁に設けられた浴槽アダプタを介して前記浴槽に湯水を供給する湯張り運転において、浴槽栓の閉め忘れを報知する報知部と、浴槽水の水位が前記浴槽アダプタを超えているか否かを示す水位情報を取得する取得部と、を備える給湯機における前記湯張り運転の制御方法であって、前記浴槽に第１の量の湯水を供給する第１の供給処理を実行するステップと、前記第１の供給処理を実行した後に前記取得部によって浴槽水の水位が前記浴槽アダプタを超えていない旨の前記水位情報が取得された場合に、第２の量の湯水を供給する第２の供給処理を実行するステップと、前記第２の供給処理を実行した後に前記取得部によって浴槽水の水位が前記浴槽アダプタを超えていない旨の前記水位情報が取得された場合に、前記報知部に浴槽栓の閉め忘れを報知させるステップと、を含む、湯張り運転の制御方法が提供される。
【発明の効果】
【０００９】
本発明によれば、第１の量の湯水が浴槽に供給された後に浴槽水の水位が浴槽アダプタを超えていない旨の水位情報が取得された場合に、追加的に第２の量の湯水が供給され、当該第２の量の湯水が浴槽に供給された後に浴槽水の水位が浴槽アダプタを超えていない旨の水位情報が取得された場合に、浴槽栓の閉め忘れが報知される。従って、例えば浴槽栓の閉め忘れがない場合であって、第１の量の湯水が供給された段階で水位が浴槽アダプタを僅かに超えない水位であった場合には、その段階で浴槽水の水位が浴槽アダプタを超えていないことを以て即座に浴槽栓忘れが報知されるのではなく、その後に追加的に湯水が供給され、それでも浴槽水の水位が浴槽アダプタを超えていない場合に、はじめて浴槽栓忘れが報知される。従って、浴槽栓忘れの誤報知の発生を抑制することができ、ユーザの利便性をより向上させることができる。
【図面の簡単な説明】
【００１０】
【図１】本発明の実施の形態１に係る給湯機の概略構成を示す図である。
【図２】実施の形態１に係る湯張り運転の制御方法の処理手順を示すフロー図である。
【図３】浴槽栓忘れを報知している際のリモコンの様子の一例を示す図である。
【図４】実施の形態１に係る制御部の機能構成の一例を示す機能ブロック図である。
【図５】実施の形態２に係る湯張り運転の制御方法の処理手順を示すフロー図である。
【図６】実施の形態２に係る制御部の機能構成の一例を示す機能ブロック図である。
【発明を実施するための形態】
【００１１】
以下に添付図面を参照しながら、本発明の好適な実施の形態について詳細に説明する。なお、本明細書及び図面において、実質的に同一の機能を有する構成については、同一の符号を付することにより重複説明を省略する。
【００１２】
実施の形態１．
（給湯機の構成）
図１を参照して、本発明の実施の形態１に係る給湯機の構成について説明する。図１は、本発明の実施の形態１に係る給湯機の概略構成を示す図である。
【００１３】
実施の形態１に係る給湯機３５は、貯湯タンク８を有するタンクユニット３３と、ヒートポンプサイクルを用いて湯（高温水）を生成するＨＰ（ヒートポンプ）ユニット７と、ユーザが運転動作の指示及び各種設定値を変更する操作等を入力するためのリモコン４４と、を備える。このように、給湯機３５は、貯湯タンク８を備える貯湯式給湯機である。
【００１４】
ＨＰユニット７とタンクユニット３３とは、ＨＰ往き配管１４と、ＨＰ戻り配管１５と、図示しない電気配線と、を介して接続されている。ＨＰユニット７は、タンクユニット３３の貯湯タンク８から導かれた低温水を加熱するための加熱手段として機能する。ＨＰユニット７では、圧縮機１、水冷媒熱交換器３、膨張弁４、及び空気熱交換器６が冷媒配管５によって環状に接続され、ヒートポンプサイクルが構成されている。水冷媒熱交換器３により、冷媒配管５を流れる冷媒と貯湯タンク８から導かれた低温水との間で熱交換が行われ、当該低温水が加熱される。
【００１５】
タンクユニット３３には、以下の各種部品及び配管等が内蔵されている。貯湯タンク８は、湯水を貯留するためのものである。貯湯タンク８の下部に設けられた水導入口８ａには、第３給水配管９ｃが接続されている。水道等の水源から供給される水は、減圧弁３１で所定圧力に調圧された上で、第３給水配管９ｃを通って貯湯タンク８内に流入する。貯湯タンク８の上部に設けられた温水導入出口８ｄには、貯湯タンク８内に貯留された湯を給湯機３５の外部へ供給するための給湯配管２１と、送湯配管１３とが接続されている。貯湯タンク８には、ＨＰユニット７を用いて加熱された高温水が送湯配管１３を通って温水導入出口８ｄから流入するとともに、第３給水配管９ｃからの低温水が水導入口８ａから流入することにより、上下で温度差が生じるように湯水が貯留される。貯湯タンク８の表面には、複数の貯湯温度センサ４２、４３が高さを変えて取り付けられており、これら貯湯温度センサ４２、４３で貯湯タンク８内の湯水の温度分布を検出することにより、貯湯タンク８内の残湯量が把握される。給湯機３５は、貯湯タンク８内の湯量を一定の量以上に保つ機能を有しており、かかる貯湯温度センサ４２、４３による検出値から把握される残湯量に基づいて、後述する制御部３６によって、ＨＰユニット７により貯湯タンク８内の湯水を加熱する沸上運転の開始、停止等が制御される。なお、ここでは一例として貯湯温度センサ４２、４３が２つの場合について説明したが、貯湯タンク８の表面に高さを変えて３つ以上の貯湯温度センサが設けられてもよい。
【００１６】
タンクユニット３３内には、熱源ポンプ１２及びふろ用熱交換器２０が内蔵されている。熱源ポンプ１２は、タンクユニット３３内の後述する各種配管に湯水を循環させるためのポンプであり、ＨＰ往き配管１４上に設けられている。ふろ用熱交換器２０は、貯湯タンク８やＨＰユニット７から供給される高温水を利用して、２次側の加熱対象水（浴槽水や暖房用水など）を加熱するための熱交換器である。図示する構成例では、２次側の加熱対象水は浴槽水であり、ふろ用熱交換器２０の２次側の構成として、浴槽３０内の湯水を循環させるふろ往き配管２７とふろ戻り配管２８が設けられている。ふろ往き配管２７とふろ戻り配管２８は、浴槽３０の内壁に設けられる浴槽アダプタ４８に接続されており、浴槽３０を介して循環回路（以下、ふろ循環回路という）を形成している。ふろ用熱交換器２０は、ふろ循環回路の途中に設置されている。また、ふろ循環回路の途中には、浴槽水を循環させるためのふろ循環ポンプ２９と、浴槽３０から出た浴槽水の温度を検出するためのふろ戻り温度センサ３８と、ふろ用熱交換器２０から出た熱交換後の湯水の温度を検出するためのふろ往き温度センサ３７と、湯水の循環を判定する水流センサ４６と、浴槽３０内の水位を検出する水位センサ４７と、が設置されている。給湯機３５では、ふろ循環ポンプ２９を動作させふろ循環回路に浴槽水を循環させ、ふろ用熱交換器２０によって高温水との間で熱交換することにより、当該浴槽水を加熱する追い焚き運転を実行することができる。
【００１７】
なお、水流センサ４６及び水位センサ４７としては、各種の公知のものが用いられてよい。例えば、水流センサ４６としては、各種の公知のフロースイッチ、フローセンサ等が用いられる。また、例えば、水位センサ４７としては、ふろ往き配管２７又はふろ戻り配管２８内の圧力（水圧）を検出する圧力センサが用いられる。水位センサ４７は、ふろ往き配管２７又はふろ戻り配管２８内の圧力を検出することにより、その検出値に応じた浴槽３０内の水位を検出することができる。
【００１８】
ここで、浴槽アダプタ４８を超える水位で浴槽水が存在していないと、ふろ循環ポンプ２９を動作させてもふろ循環回路に浴槽水が循環せず、水流センサ４６によって水流が検出されない。また、水位センサ４７は、上述したように、ふろ往き配管２７又はふろ戻り配管２８内の圧力を検出することにより浴槽３０内の水位を検出するものであるから、浴槽アダプタ４８を超える水位で浴槽水が存在していないと、水位を検出することができない。つまり、水位センサ４７の検出値、及びふろ循環ポンプ２９を動作させた状態における水流センサ４６の検出値は、浴槽アダプタ４８を超える水位で浴槽水が存在しているか否かを示す情報であるといえる。本明細書では、このような浴槽アダプタ４８を超える水位で浴槽水が存在しているか否かを示す情報のことを、水位情報とも呼称する。また、本明細書では、水位情報を取得する機能を有する構成（すなわち、本実施の形態１であれば、水流センサ４６及び水位センサ４７）のことを、取得部とも呼称する。詳細は後述するが、本実施の形態１では、湯張り運転において、取得部によって取得された水位情報に基づいて、浴槽アダプタ４８を超える水位で浴槽水が存在している否かを判定する処理（以下、水位判定処理という）が行われる。
【００１９】
三方弁１１は、湯水が流入するａ、ｂポートと、湯水が流出するｃポートとを有する流路切替手段である。四方弁１８は、湯水が流入するｂ、ｃポートと、湯水が流出するａ、ｄポートとを有する流路切替手段であり、４つの経路、ａ−ｂ、ａ−ｃ、ｂ−ｄ、ｃ−ｄの間で流路切替可能に構成されている。
【００２０】
また、タンクユニット３３は、水導出口配管１０、温水導入配管２０ａ、第１バイパス配管１６、温水導出配管２０ｂ、及び第２バイパス配管１７を有している。水導出口配管１０は、貯湯タンク８の下部に設けられた水導出口８ｂと三方弁１１のａポートとを接続する。ＨＰ往き配管１４は、三方弁１１のｃポートとＨＰユニット７の入口側とを接続する。ＨＰ戻り配管１５は、ＨＰユニット７の出口側と四方弁１８のｃポートとを接続する。送湯配管１３は、四方弁１８のｄポートと、貯湯タンク８上部の温水導入出口８ｄとを接続する。第１バイパス配管１６は、四方弁１８のａポートと、貯湯タンク８の中央部から下部の間に設けられた温水導入口８ｃとを接続する。温水導入配管２０ａは、送湯配管１３の途中から分岐し、ふろ用熱交換器２０の１次側入口に接続される。温水導出配管２０ｂは、ふろ用熱交換器２０の１次側出口と三方弁１１のｂポートとを接続する。第２バイパス配管１７は、ＨＰ往き配管１４における熱源ポンプ１２とＨＰユニット７の入口側との間から分岐し、四方弁１８のｂポートに接続される。
【００２１】
更に、タンクユニット３３は、第１給水配管９ａ、第２給水配管９ｂ、給湯用混合弁２２、ふろ用混合弁２３、第１給湯配管２４、及び第２給湯配管２５を有している。第１給水配管９ａの一端は水道等の水源に接続され、第１給水配管９ａの他端には減圧弁３１を介して第２給水配管９ｂ及び第３給水配管９ｃが接続される。これら第１給水配管９ａ、第２給水配管９ｂ、及び第３給水配管９ｃによって、給水管路９が構成されている。第２給水配管９ｂは、途中から分岐してそれぞれ給湯用混合弁２２とふろ用混合弁２３とに接続されている。また、給湯配管２１は、途中から分岐してそれぞれ給湯用混合弁２２及びふろ用混合弁２３に接続されている。
【００２２】
給湯用混合弁２２及びふろ用混合弁２３は、給湯配管２１から供給される高温水と、第２給水配管９ｂから供給される低温水との流量比を調整することにより、使用者がリモコン４４にて設定した設定温度の湯を生成し、第１給湯配管２４及び第２給湯配管２５にそれぞれ流入させる。給湯用混合弁２２で温度調整された湯水は、第１給湯配管２４から給湯栓３４を経由して、使用者が使用するシャワーやカラン等の蛇口（図示しない）に供給される。一方、ふろ用混合弁２３に接続される第２給湯配管２５の途中には、第２給湯配管２５を開閉するふろ用電磁弁２６と、第２給湯配管２５を通る湯水の流量を検出する流量センサ４５とが設けられている。湯張り運転においては、ふろ用混合弁２３で設定温度に調整された湯水が、第２給湯配管２５からふろ用電磁弁２６、流量センサ４５、ふろ往き配管２７、及びふろ戻り配管２８を経て、浴槽アダプタ４８を介して浴槽３０に供給される。この際、流量センサ４５の検出値に基づいて、浴槽３０に供給する湯水の量が制御される。
【００２３】
三方弁１１は、水導出口配管１０とＨＰ往き配管１４とが連通する形態（すなわち、ａポートとｃポートとが連通する形態）、及び温水導出配管２０ｂとＨＰ往き配管１４とが連通する形態（すなわち、ｂポートとｃポートとが連通する形態）、の２つの流路形態で、タンクユニット３３内の湯水の流路を切り替える。四方弁１８は、ＨＰ戻り配管１５と送湯配管１３とが連通する形態（すなわち、ｃポートとｄポートとが連通する形態）、ＨＰ戻り配管１５と第１バイパス配管１６とが連通する形態（すなわち、ａポートとｃポートとが連通する形態）、第１バイパス配管１６と第２バイパス配管１７とが連通する形態（すなわち、ａポートとｂポートとが連通する形態）、及び送湯配管１３と第２バイパス配管１７とが連通する形態（すなわち、ｂポートとｄポートとが連通する形態）、の４つの流路形態で、タンクユニット３３内の湯水の流路を切り替える。
【００２４】
更に、タンクユニット３３には、制御部３６が内蔵されている。タンクユニット３３及びＨＰユニット７が備える、上述した各種弁類、ポンプ類等の動作は、これらと電気的に接続された制御部３６により制御される。制御部３６とリモコン４４とは、相互に通信可能に接続されている。リモコン４４を介したユーザからの指示入力に応じて、制御部３６が給湯機３５を動作させ、各種の運転（例えば、沸上運転、追い焚き運転及び湯張り運転等）が実行される。
【００２５】
例えば、沸上運転では、制御部３６は、ＨＰユニット７及び熱源ポンプ１２を稼動させる。三方弁１１は、水導出口配管１０とＨＰ往き配管１４とが連通する形態（すなわち、ａポートとｃポートとが連通する形態）とされる。四方弁１８は、ＨＰ戻り配管１５と送湯配管１３とが連通する形態（すなわち、ｃポートとｄポートとが連通する形態）とされる。熱源ポンプ１２が稼動することで、貯湯タンク８内の下部の低温水が、水導出口８ｂ、水導出口配管１０、三方弁１１、及びＨＰ往き配管１４を経由し、ＨＰユニット７の水冷媒熱交換器３へ送られる。水冷媒熱交換器３を通過する間に加熱されて高温になった湯水は、ＨＰ戻り配管１５、四方弁１８、送湯配管１３、及び温水導入出口８ｄを通り、貯湯タンク８内の上部に流入する。このような沸上運転により、貯湯タンク８内に上から下に向かって次第に温度が低下するような温度勾配を持って湯が貯えられる。
【００２６】
また、例えば、追い焚き運転では、制御部３６は、熱源ポンプ１２及びふろ循環ポンプ２９を動作させる。三方弁１１は、温水導出配管２０ｂとＨＰ往き配管１４とが連通する形態（すなわち、ｂポートとｃポートとが連通する形態）とされる。四方弁１８は、第１バイパス配管１６と第２バイパス配管１７とが連通する形態（すなわち、ａポートとｂポートとが連通する形態）とされる。ふろ循環ポンプ２９が動作することで、浴槽３０内からふろ戻り配管２８へ浴槽水が引き込まれ、ふろ用熱交換器２０へ送られる。一方、熱源ポンプ１２が稼動することで、貯湯タンク８内の上部から導出される高温水が、熱源流体として、温水導入出口８ｄ、送湯配管１３、及び温水導入配管２０ａを通り、ふろ用熱交換器２０へ送られる。そして、ふろ用熱交換器２０において浴槽水と高温水との間で熱交換が行われる。ふろ用熱交換器２０を通過する間に加熱された浴槽水は、ふろ往き配管２７を通って浴槽３０内へ戻る。また、ふろ用熱交換器２０を通過する間に温度低下した熱源流体が、温水導出配管２０ｂ、三方弁１１、ＨＰ往き配管１４、第２バイパス配管１７、四方弁１８、第１バイパス配管１６、及び温水導入口８ｃを通り、貯湯タンク８内に流入する。
【００２７】
なお、湯張り運転時における制御部３６の動作については、図２を参照して後で詳細に説明する。
【００２８】
制御部３６は、例えばＣＰＵ（Central  Processing  Unit）又はＤＳＰ（Digital  Signal  Processor）等のプロセッサ、並びに各種の情報を格納するメモリ等の記憶素子が搭載された制御基板等によって構成される。記憶素子には、例えばプロセッサが実行するプログラム、及びプロセッサがプログラムを実行した結果得られた情報等が格納される。プロセッサが所定のプログラムに従って演算処理を実行することにより、以上説明した制御部３６の機能が実現される。
【００２９】
リモコン４４は、図示を省略するが、給湯機３５に関する各種の情報を外部に通知する通知部、及び各種の情報を給湯機３５の制御部３６に入力するための入力部を有する。通知部は、例えば、給湯機３５の状態等の情報を表示するディスプレイ装置等からなる表示部、当該情報を音声で出力するスピーカ等からなる音声出力部、及び当該情報を外部の他の機器に送信する通信装置等からなる通信部等によって構成される。また、入力部は、ユーザが操作するスイッチ等からなる操作部、及びユーザの音声を入力するマイクロフォン等からなる音声入力部等によって構成される。なお、リモコン４４（すなわち、通知部及び入力部）の具体的な装置構成は限定されず、リモコン４４は各種の公知の構成を有していてよい。
【００３０】
（湯張り運転の制御方法）
図２を参照して、以上説明した給湯機３５における湯張り運転の制御方法について説明する。図２は、実施の形態１に係る湯張り運転の制御方法の処理手順を示すフロー図である。なお、以下の図２についての説明では、一例として、取得部が水流センサ４６によって構成され、水位情報としてふろ循環ポンプ２９を動作させた状態における水流センサ４６の検出値が用いられる場合について説明する。ただし、本実施の形態１はかかる例に限定されず、取得部が水位センサ４７によって構成され、水位情報として水位センサの検出値が用いられてもよい。また、図２に示す各処理において、所定の量の湯水を供給する処理については、制御部３６は、流量センサ４５の検出値に基づいて供給する湯水の量を制御している（すなわち、本明細書において、「制御部３６が所定の量の湯水を供給する処理を実行する」等の表現は、「制御部３６が流量センサ４５の検出値に基づく所定の量の湯水を供給する処理を実行する」ことを意味している。）
【００３１】
湯張り運転の開始に先立ち、ユーザによって、リモコン４４を介して、設定湯量（例えば２００Ｌ）及び設定温度が設定されている。その状態で、ユーザによってリモコン４４を介して湯張り運転を開始する旨の指示が入力されると、制御部３６は、第１の量（例えば８０Ｌ）の設定温度の湯水を浴槽アダプタ４８を介して浴槽３０に供給する制御を行う（ステップＳ１０１）。本明細書では、ステップＳ１０１における第１の量の湯水を供給する処理のことを、第１の供給処理とも記載する。
【００３２】
ここで、第１の量は、浴槽内の水位が浴槽アダプタ４８を超える量として、制御部３６に予め設定されている。第１の量は、例えば、以下のような手順で学習により設定される。すなわち、制御部３６が、少量（例えば１０Ｌ）の湯水を浴槽に供給する処理を行い、次いで水位情報に基づいて水位判定処理を行う、という一連の処理を繰り返し実行し、浴槽アダプタ４８を超える水位で浴槽水が存在していると判定されたタイミングまでに供給した湯量の積算値を、第１の量として設定する。例えば、このような学習処理が、給湯機３５を設置した後、初めて湯張り運転を行う際に実行されてよい。
【００３３】
なお、第１の量の設定方法はかかる例に限定されず、他の方法であってもよい。例えば、第１の量は、浴槽３０の形状、及び浴槽３０における浴槽アダプタ４８の設置位置に応じて算出され得る量であるため、給湯機３５を設置した際に、設置業者等によって、浴槽３０の形状等の測定、及び第１の量の算出が行われ、その値が手動で入力され、制御部３６に設定されてもよい。
【００３４】
第１の供給処理を実行すると、次に、制御部３６が水位判定処理を実行する（ステップＳ１０３）。具体的には、ステップＳ１０３では、取得部（すなわち、水流センサ４６）から制御部３６に水位情報（すなわち、ふろ循環ポンプ２９を動作させた状態における水流センサ４６の検出値）が送信され、制御部３６は、当該水位情報に基づいて、浴槽アダプタ４８を超える水位で浴槽水が存在しているか否かを判定する。なお、後述するように、本実施の形態１に係る湯張り運転では、ステップＳ１０３の後に、再度水位判定処理が実行され得る。従って、区別のため、本明細書では、ステップＳ１０３における水位判定処理のことを第１の水位判定処理とも記載する。
【００３５】
ステップＳ１０３で浴槽アダプタ４８を超える水位で浴槽水が存在していると判定された場合（すなわち、浴槽アダプタ４８を超える水位で浴槽水が存在している旨の水位情報が取得された場合）には、浴槽３０内に湯水がたまっている状態であり、浴槽栓忘れは発生していないと考えられる。従って、この場合には、制御部３６は、設定湯量に達するまで（すなわち、設定湯量から第１の量を差し引いた量の）湯水を浴槽アダプタ４８を介して浴槽３０に供給する制御を行う（ステップＳ１０５）。これで、湯張り運転が終了する。
【００３６】
ここで、上述したように、第１の量は、浴槽内の水位が浴槽アダプタ４８を超える量として予め設定されているが、流量センサ４５の検出誤差等により、制御部３６が第１の量の湯水を供給したつもりであっても、実際には第１の量よりも少ない量の湯水しか供給されない事態が生じ得る。このような場合には、ステップＳ１０３で浴槽アダプタ４８を超える水位で浴槽水が存在していないと判定されることとなる。本実施の形態１では、ステップＳ１０３で浴槽アダプタ４８を超える水位で浴槽水が存在していないと判定された場合（すなわち、浴槽アダプタ４８を超える水位で浴槽水が存在していない旨の水位情報が取得された場合）には、ステップＳ１０７に進む。ステップＳ１０７では、制御部３６は、第２の量（例えば１０Ｌ）の設定温度の湯水を浴槽アダプタ４８を介して浴槽３０に供給する制御を行う。本明細書では、ステップＳ１０７における第２の量の湯水を供給する処理のことを、第２の供給処理とも記載する。
【００３７】
次に、制御部３６は、再度水位判定処理を行う（ステップＳ１０９）。具体的には、ステップＳ１０９では、取得部（すなわち、水流センサ４６）から制御部３６に水位情報（すなわち、ふろ循環ポンプ２９を動作させた状態における水流センサ４６の検出値）が送信され、制御部３６は、当該水位情報に基づいて、浴槽アダプタ４８を超える水位で浴槽水が存在しているか否かを判定する。なお、区別のため、本明細書では、このステップＳ１０９における再度の水位判定処理のことを第２の水位判定処理とも記載する。
【００３８】
ステップＳ１０９で浴槽アダプタ４８を超える水位で浴槽水が存在していると判定された場合（すなわち、浴槽アダプタ４８を超える水位で浴槽水が存在している旨の水位情報が取得された場合）には、浴槽３０内に湯水がたまっている状態であり、浴槽栓忘れは発生していないと考えられる。従って、この場合には、制御部３６は、設定湯量に達するまで（すなわち、設定湯量から第１の量及び第２の量を差し引いた量の）湯水を浴槽アダプタ４８を介して浴槽３０へ供給する制御を行う（ステップＳ１０５）。これで、湯張り運転が終了する。
【００３９】
一方、ステップＳ１０９で浴槽アダプタ４８を超える水位で浴槽水が存在していないと判定された場合（すなわち、浴槽アダプタ４８を超える水位で浴槽水が存在していない旨の水位情報が取得された場合）には、第１の量及び第２の量の湯水を供給しても、浴槽アダプタ４８を超える水位で浴槽水が存在していない状況であるため、浴槽３０に湯水がたまっておらず、浴槽栓忘れが発生している可能性が高いと考えられる。従って、この場合には、制御部３６は、浴槽栓忘れを報知する制御を行う（ステップＳ１１１）。
【００４０】
浴槽栓忘れの報知は、給湯機３５に備えられる報知部を介して行われる。当該報知部は、リモコン４４の通知部が兼ねてよい。つまり、浴槽栓忘れの報知は、リモコン４４の表示部による文字及び画像等の表示、音声出力部によるブザー及び音声等の出力、並びに通信部による外部の機器（例えば、ＨＥＭＳコントローラ及びユーザが所持するスマートフォン等）への情報の送信等の各種の手段のうちの１つにより、又は複数を組み合わせて、実行される。図３に、浴槽栓忘れを報知している際のリモコン４４の様子の一例を示す。図３では、一例として、リモコン４４の表示部４４ａが報知部として機能する場合を図示している。図示するように、リモコン４４の表示部４４ａに警告文４４ｂ（図示する例では、「湯張り停止中。浴槽栓を確認してください。」）を表示することで、浴槽栓忘れが報知されている。もちろん、かかる表示と併せて、ブザー又は音声による報知が行われてもよい。
【００４１】
以上、本実施の形態１に係る湯張り運転の制御方法について説明した。ここで、特許文献１に例示される従来の方法では、浴槽内の水位が浴槽アダプタを超えるだけの量の湯水（すなわち、本実施の形態１における第１の量に相当する量の湯水）を供給した段階で浴槽アダプタを超える水位で浴槽水が存在しているか否かを判定し、その結果、浴槽水が存在していないと判定された場合に、浴槽栓忘れを報知する処理が行われていた。しかしながら、上述したように、給湯機では、流量センサの検出誤差等に起因して、浴槽内の水位が浴槽アダプタを超えるだけの量の湯水を供給する制御を行ったにもかかわらず、実際にはそれよりも少ない量の湯水しか供給されていない事態が発生し得る。流量センサに生じ得る検出誤差の範囲を考慮すれば、この量が著しくずれることは想定し難いものの、かかる事態が生じれば、例えば、浴槽アダプタを僅かに超えない水位で浴槽内に湯水がたまることは十分に考えられる。この場合には、浴槽アダプタを超える水位で浴槽水が存在していないと判断されることとなり、浴槽栓忘れの誤報知が生じる恐れがあった。
【００４２】
一方、本実施の形態１によれば、上記のように、第１の水位判定処理において浴槽水が存在していないと判定された場合には、第２の量の湯水が追加的に供給される。第２の量の湯水が追加的に供給されることによって、上記のように、第１の量の湯水を供給した段階において、実際には第１の量よりも少ない量の湯水しか供給されず、浴槽アダプタ４８を僅かに超えない水位で浴槽３０内に湯水がたまっていた場合には、浴槽３０内の水位が浴槽アダプタ４８を超えることとなる。
【００４３】
本実施の形態１では、この第２の量の湯水を供給した段階で第２の水位判定処理を行い、その結果に応じて浴槽栓忘れを報知する。従って、浴槽栓忘れが発生していない場合であって、第１の量の湯水を供給する制御を行ったにもかかわらず、実際には第１の量よりも少ない量の湯水しか供給されていない事態が生じた場合であっても、浴槽アダプタ４８を超える水位で浴槽水が存在しているとの判定結果を得ることができ、浴槽栓忘れの誤報知の発生を抑制することができる。従って、ユーザにとってより利便性の高い給湯機３５が実現され得る。
【００４４】
なお、第２の量は、浴槽栓忘れの誤報知の発生を効果的に抑制し得る量として、制御部３６に予め設定されている。第２の量は、流量センサ４５の検出誤差等に起因して生じる第１の量のずれ量に応じた値として、給湯機３５の設計者等により適宜設定されてよい。また、第２の量は、設置後にユーザにより適宜設定（変更）可能であってもよい。これにより、第２の量の湯水を供給しても水位が浴槽アダプタ４８を超えずに浴槽栓忘れの誤報知が依然として発生してしまう場合に、ユーザが、水位が浴槽アダプタ４８を超えるような適切な値に第２の量を変更することができるため、ユーザの利便性がより向上する。
【００４５】
（制御部の機能構成）
図４を参照して、以上説明した実施の形態１に係る湯張り運転を実行する制御部３６の機能構成について説明する。図４は、実施の形態１に係る制御部３６の機能構成の一例を示す機能ブロック図である。図４に示す各機能により、図２に示す一連の処理が実行される。なお、図４では、説明のため、制御部３６の機能のうち、湯張り運転に関する機能のみを示している。制御部３６は、図示する機能以外にも、一般的な給湯機の制御部が有する各種の機能（例えば、沸上運転を実行する機能や、追い焚き運転を実行する機能等）を有し得る。
【００４６】
また、図４では、説明のため、制御部３６以外の機能ブロックとして、取得部２０１、報知部２０３、及び供給部２０５を図示している。取得部２０１は、上述したように、水位情報を取得する機能を有するものであり、具体的には、水流センサ４６及び水位センサ４７によって構成される。報知部２０３は、上述したように、浴槽栓忘れを報知する機能を有するものであり、具体的には、リモコン４４の通知部によって構成される。供給部２０５は、浴槽アダプタ４８を介して浴槽３０に湯水を供給する機能を有する。具体的には、供給部２０５は、タンクユニット３３において浴槽３０への給湯を実行するために動作される弁やポンプ等によって構成される。
【００４７】
図４を参照すると、制御部３６は、その機能として、供給量設定部１０１、水位判定部１０３、供給制御部１０５、報知部駆動制御部１０７、及び記憶部１０９を有する。供給量設定部１０１、水位判定部１０３、供給制御部１０５、及び報知部駆動制御部１０７は、制御部３６を構成するプロセッサが所定のプログラムに従って演算処理を実行することにより実現される。記憶部１０９は、制御部３６を構成するメモリ等の記憶素子によって実現される。
【００４８】
記憶部１０９は、給湯機３５に関する各種の情報を記憶する。湯張り運転に関する情報として、例えば、記憶部１０９は、設定温度、設定湯量、第１の量、及び第２の量についての情報を記憶する。
【００４９】
供給量設定部１０１は、記憶部１０９に第１の量及び第２の量を記憶させる（すなわち、制御部３６に第１の量及び第２の量を設定する）。例えば、供給量設定部１０１は、上述したように、学習処理を行った結果に基づく量を第１の量として記憶部１０９に記憶させる。あるいは、供給量設定部１０１は、設置業者や設計者、ユーザ等によって入力された量を第１の量及び第２の量として記憶部１０９に記憶させる。
【００５０】
水位判定部１０３には、取得部２０１によって取得された水位情報が入力される。水位判定部１０３は、かかる水位情報に基づいて、水位判定処理を実行する。具体的には、水位情報が水位センサ４７の検出値である場合には、水位判定部１０３は、その検出値に基づいて浴槽３０内の水位を算出することにより、浴槽アダプタ４８を超える水位で浴槽水が存在している否かを判定する。あるいは、水位情報がふろ循環ポンプ２９を動作させた状態における水流センサ４６の検出値である場合には、水位判定部１０３は、その検出値に基づいて、水流が検出された場合には浴槽アダプタ４８を超える水位で浴槽水が存在していると判定し、水流が検出されなかった場合には浴槽アダプタ４８を超える水位で浴槽水が存在していないと判定する。水位判定部１０３は、第１及び第２の量の湯水が供給された後に、それぞれ、水位判定処理（すなわち、第１の水位判定処理（図２に示すステップＳ１０３における処理）及び第２の水位判定処理（図２に示すステップＳ１０９における処理））を実行する。水位判定部１０３は、判定結果についての情報を、供給制御部１０５及び報知部駆動制御部１０７に提供する。
【００５１】
供給制御部１０５は、供給部２０５の動作を制御し、浴槽３０に湯水を供給させる。この際、供給制御部１０５は、供給される湯水の温度及び量を制御することができる。湯張り運転においては、供給制御部１０５は、湯張り運転を開始する旨の指示入力があった場合に、第１の量の湯水を設定温度で供給する（図２に示すステップＳ１０１における処理）。また、供給制御部１０５は、第１の量の湯水を供給した後に、水位判定部１０３から浴槽アダプタ４８を超える水位で浴槽水が存在していない旨の判定結果についての情報が提供された場合に、第２の量の湯水を設定温度で供給する（図２に示すステップＳ１０７における処理）。更に、供給制御部１０５は、第１の量の湯水を供給した後又は第２の量の湯水を供給した後に、水位判定部１０３から浴槽アダプタ４８を超える水位で浴槽水が存在している旨の判定結果についての情報が提供された場合に、設定湯量に達するまで湯水を設定温度で供給する（図２に示すステップＳ１０５における処理）。供給制御部１０５は記憶部１０９にアクセス可能に構成されており、記憶部１０９を参照することにより、設定湯量、第１の量、及び第２の量を把握し、流量センサ４５の検出値に基づいて、以上の各処理において供給する湯水の量を制御する。供給制御部１０５は、第１の量及び第２の量の湯水を供給した場合、それぞれ、その旨の情報を水位判定部１０３に提供する。水位判定部１０３は、かかる情報に応じて、第１の水位判定処理及び第２の水位判定処理をそれぞれ実行する。また、供給制御部１０５は、第２の量の湯水を供給した場合、その旨の情報を報知部駆動制御部１０７に提供する。
【００５２】
報知部駆動制御部１０７は、報知部２０３の動作を制御し、浴槽栓忘れを報知させる。具体的には、報知部駆動制御部１０７は、第２の量の湯水が供給された後（より詳細には、供給制御部１０５から第２の量の湯水を供給した旨の情報が提供された後）、水位判定部１０３から浴槽アダプタ４８を超える水位で浴槽水が存在していない旨の判定結果についての情報が提供された場合に、報知部２０３によって浴槽栓忘れを報知させる（図２に示すステップＳ１１１における処理）。
【００５３】
以上、実施の形態１に係る給湯機３５の構成、及び湯張り運転の制御方法について説明した。なお、以上説明した湯張り運転の制御方法は一例であり、本実施の形態１に係る湯張り運転では、以上説明した図２に示す各処理に加えて、他の処理が追加的に行われてもよい。
【００５４】
例えば、図２に示す一連の処理に先立って、以下の各処理が実行されてもよい。すなわち、湯張り運転を開始する旨の指示が入力された場合、まず、制御部３６が、呼び水として、規定量（例えば１０Ｌ）の設定温度の湯水を浴槽３０に供給する処理を行ってもよい。これは、ふろ循環回路内の空気を浴槽３０に排出するためである。そして、呼び水を浴槽３０に供給した後、制御部３６は、水位判定処理を実行してもよい。水位判定処理の結果、浴槽アダプタ４８を超える水位で浴槽水が存在していると判定された場合には、前回の湯張り運転以降、浴槽水が排水されていないこと（すなわち、ユーザが、浴槽３０に湯がためられた状態で湯張り運転を実行したこと）を意味している。この場合、制御部３６は、追い焚き運転を実行し、設定温度になるまで浴槽水を加熱し、湯張り運転を終了する。一方、上記水位判定処理の結果、浴槽アダプタ４８を超える水位で浴槽水が存在していないと判定された場合には、少なくとも前回の湯張り運転以降、一旦浴槽水が排水されてから湯張り運転が開始されていることを意味する。この場合、制御部３６は、図２に示すステップＳ１０１からの一連の処理を実行する。
【００５５】
通常、ユーザが湯張り運転を行う場合には、浴槽３０が空になっていることが一般的であるが、浴槽水を排水することを忘れた状態で湯張り運転を開始する旨の指示を入力してしまうこともある。このような場合に、通常通り湯張り運転を実行したのでは、湯水が浴槽３０から溢れてしまい、ロスになる。そこで、上記のように、図２に示す一連の処理に先立ち、呼び水を供給した段階で水位判定処理を行って浴槽水が残っているかを判定し、浴槽水が残っている場合には湯水を更に供給するのではなく追い焚き運転を行う処理とすることにより、このようなロスの発生を避けることが可能になる。
【００５６】
また、例えば、図２に示す一連の処理において湯張りが完了した後に、制御部３６が、浴槽水の水位を湯張りが完了した際の水位（以下、湯張り完了水位という）に保つ自動足し湯運転を実行してもよい。この場合、湯張り運転の際に、制御部３６の記憶部１０９が、湯張り完了水位、及び浴槽３０の水平方向の断面積（以下、浴槽断面積という）を記憶しており、制御部３６は、これらの値に基づいて自動足し湯運転を実行する。湯張り完了水位は、水位センサ４７の検出値に基づいて取得され得る。また、制御部３６は、第１の量又は第２の量の湯水を供給し、浴槽アダプタ４８を超えた段階での水位と、湯張り完了水位と、を水位センサ４７の検出値に基づいて取得し、それらの水位の差分と、その間に供給した湯量との関係から、浴槽断面積を算出することができる。自動足し湯運転では、制御部３６が、水位センサ４７の検出値に基づいて浴槽水の水位をモニタし、水位が湯張り完了水位よりも下がった場合に、その下がった水位を補うだけの湯量を浴槽断面積を用いて算出し、当該湯量の湯水を供給する処理を実行する。なお、浴槽断面積は、必ずしも浴槽３０の高さ方向に沿って厳密に一定ではないが、一般的な浴槽３０の形状を想定すれば、その高さ方向における変化量は小さいと考えられるため、一定値とみなしても問題はない。
【００５７】
以上説明した処理以外にも、一般的な給湯機の湯張り運転に付随して行われている各種の公知の処理が、図２に示す一連の処理に追加して行われてよい。
【００５８】
実施の形態２．
本発明の他の実施の形態（実施の形態２）について説明する。実施の形態２に係る給湯機の構成は、以上説明した実施の形態１に係る給湯機３５と同様であるため、ここではその詳細な説明を省略する（以下、実施の形態２に係る給湯機のことも給湯機３５と記載する）。以下では、実施の形態２に関し、湯張り運転の制御方法、及び湯張り運転を実行する制御部の機能構成について主に説明する。
【００５９】
（湯張り運転の制御方法）
図５を参照して、実施の形態２に係る給湯機３５における湯張り運転の制御方法について説明する。図５は、実施の形態２に係る湯張り運転の制御方法の処理手順を示すフロー図である。
【００６０】
図５に示すように、実施の形態２に係る湯張り運転の制御方法は、実施の形態１に係る湯張り運転の制御方法に対して、ステップＳ２０１に示す処理が追加されたものに対応する。具体的には、実施の形態２に係る湯張り運転の制御方法では、ステップＳ１０９に示す第２の水位判定処理において浴槽アダプタ４８を超える水位で浴槽水が存在していると判定された場合に、ステップＳ２０１として、第１の量を、現状の第１の量と第２の量とを足し合わせた量に更新する処理が実行される。例えば、現状の第１の量が８０Ｌ、第２の量が１０Ｌであれば、更新後の第１の量は９０Ｌとなる。
【００６１】
浴槽栓忘れが発生しておらず、第２の水位判定処理で浴槽アダプタ４８を超える水位で浴槽水が存在していると判定された場合であって、ステップＳ２０１に示す処理が行われない場合には、次回以降の湯張り運転においても、常に、第１の水位判定処理では浴槽アダプタ４８を超える水位で浴槽水が存在していないと判定され、その後、第２の量の湯水が供給され、第２の水位判定処理において浴槽アダプタ４８を超える水位で浴槽水が存在していると判定され、設定湯量に達するまでの残りの湯量が供給されることとなる。一方、本実施の形態２のようにステップＳ２０１に示す処理が実行されることにより、次回以降の湯張り運転の際には、第１の量の湯水を供給した後の第１の水位判定処理において、浴槽アダプタ４８を超える水位で浴槽水が存在していると判定され、そのまま設定湯量に達するまでの残りの湯量が供給されることとなる。つまり、第２の供給処理、及び第２の水位判定処理が行われないこととなるため、湯張りに掛かる時間を短縮することが可能になる。よって、ユーザの利便性を更に向上させることができる。
【００６２】
（制御部の機能構成）
図６を参照して、以上説明した実施の形態２に係る湯張り運転を実行する制御部３６ａの機能構成について説明する。図６は、実施の形態２に係る制御部３６ａの機能構成の一例を示す機能ブロック図である。図６に示す各機能により、図５に示す一連の処理が実行される。なお、図６では、説明のため、制御部３６ａの機能のうち、湯張り運転に関する機能のみを示している。制御部３６ａは、図示する機能以外にも、一般的な給湯機の制御部が有する各種の機能を有し得る。また、図６では、説明のため、図４と同様に、制御部３６ａ以外の機能ブロックとして、取得部２０１、報知部２０３、及び供給部２０５を図示している。
【００６３】
図６を参照すると、制御部３６ａは、その機能として、供給量設定部１０１ａ、水位判定部１０３、供給制御部１０５、報知部駆動制御部１０７、及び記憶部１０９を有する。このように、制御部３６ａは、実施の形態１に係る制御部３６に対して、供給量設定部１０１の機能が変更されたものに対応する。制御部３６ａの具体的な装置構成や、供給量設定部１０１ａ以外の機能は制御部３６と同様であるため、重複するものについてはその説明を省略する。
【００６４】
供給量設定部１０１ａは、実施の形態１に係る供給量設定部１０１の機能に加え、特定の条件が満たされた場合に、記憶部１０９に記憶されている第１の量を更新する機能を有する。具体的には、供給量設定部１０１ａには、水位判定部１０３から第２の水位判定処理の結果についての情報が提供される。供給量設定部１０１ａは、当該情報に基づいて、第２の水位判定処理で浴槽アダプタ４８を超える水位で浴槽水が存在していると判定された場合に、記憶部１０９に記憶されている第１の量を、現状の第１の量と第２の量とを足し合わせた量に更新する（図５に示すステップＳ２０１における処理）。
【００６５】
以上、実施の形態２に係る湯張り運転の制御方法について説明した。なお、実施の形態２において更新された第１の量は、任意のタイミングで、リモコン４４を介したユーザからの指示入力により、供給量設定部１０１によって初期化可能であってもよい。第１の量が初期化された場合には、上述した学習によって第１の量を設定する処理が再度実行され得る。例えば、浴槽３０が異なる形状のものに交換された場合などには、それまで更新された第１の量は意味をなさないこととなる。このような場合に、適宜第１の量を初期化可能とすることにより、ユーザの利便性を更に向上させることができる。
【００６６】
（変形例等）
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変形例に想到し得ることは明らかであり、これらについても、当然に本発明の技術的範囲に属するものと了解される。例えば、本発明は、以上説明した実施の形態以外にも、以下のような形態を取り得る。
【００６７】
例えば、以上説明した実施の形態１、２では、第２の水位判定処理において浴槽アダプタ４８を超える水位で浴槽水が存在していないと判定された場合に、浴槽栓忘れが報知されていたが、本発明はかかる例に限定されない。例えば、制御部３６、３６ａの供給制御部１０５が、第３の量（例えば１０Ｌ）の設定温度の湯水を浴槽３０に供給する処理（区別のため、本明細書において、第３の供給処理とも記載する）を更に行ってもよい。そして、その後、制御部３６、３６ａの水位判定部１０３が水位判定処理（区別のため、本明細書において、第３の水位判定処理とも記載する）を行い、この第３の水位判定処理において浴槽アダプタ４８を超える水位で浴槽水が存在していないと判定された場合（すなわち、浴槽アダプタ４８を超える水位で浴槽水が存在していない旨の水位情報が取得された場合）に、報知部駆動制御部１０７が浴槽栓忘れを報知させてもよい。なお、第３の水位判定処理において浴槽アダプタ４８を超える水位で浴槽水が存在していると判定された場合には、供給制御部１０５は、設定湯量に達するまで（すなわち、設定湯量から第１の量、第２の量、及び第３の量を差し引いた量の）湯水を浴槽３０に供給する処理を行う。このように、第３の供給処理及び第３の水位判定処理を行うことにより、浴槽栓忘れが発生していない場合であって、第２の供給処理が終了した段階で浴槽アダプタ４８を僅かに超えない水位で浴槽３０内に湯水がたまっていた場合にも、浴槽栓忘れは報知されないこととなる。つまり、浴槽栓忘れの誤報知の発生を更に抑制することが可能になる。
【００６８】
更に、第３の供給処理及び第３の水位判定処理を行う場合において、第３の水位判定処理において浴槽アダプタ４８を超える水位で浴槽水が存在していると判定された場合には、制御部３６、３６ａの供給量設定部１０１は、第１の量を、現状の第１の量と第２の量と第３の量とを足し合わせた量に更新する処理を実行してもよい。例えば、現状の第１の量が８０Ｌ、第２の量が１０Ｌ、第３の量が１０Ｌであれば、更新後の第１の量は１００Ｌとなる。これにより、実施の形態２と同様に、次回以降の湯張り運転の際には、第１の量の湯水を供給した後の第１の水位判定処理において、浴槽アダプタ４８を超える水位で浴槽水が存在していると判定され、そのまま設定湯量に達するまでの残りの湯量が供給されることとなるため、湯張りに掛かる時間を短縮することが可能になる。なお、実施の形態２と同様に、このように更新された第１の量は、任意のタイミングで、リモコン４４を介したユーザからの指示入力により、供給量設定部１０１によって初期化可能であってもよい。
【００６９】
なお、第３の量は、第２の量と同様に、給湯機３５の設計者等により適宜設定されてもよいし、給湯機３５の設置後にユーザにより適宜設定（変更）されてもよい。また、第２の水位判定処理において浴槽アダプタ４８を超える水位で浴槽水が存在していないと判定され、浴槽栓忘れが報知された場合には、上記の第３の供給処理が自動的に行われてもよいし、後述のように第３の供給処理を実行する旨の指示をユーザが入力してもよい。また、第３の水位判定処理においても浴槽アダプタ４８を超える水位で浴槽水が存在していないと判定された場合には、更なる湯水の供給処理及び水位判定処理が繰り返し行われてもよい。
【００７０】
また、例えば、以上説明した実施の形態１、２に係る湯張り運転において浴槽栓忘れが報知された場合、その後の湯張り運転をどのように行うかを、リモコン４４を介してユーザが選択可能であってもよい。具体的には、ユーザは、上述した第３の供給処理を実行する旨の指示（すなわち、湯水を更に供給する旨の指示）、湯張り運転を継続する旨の指示、又は湯張り運転を最初から実行する旨の指示を選択可能であってよい。
【００７１】
浴槽栓忘れが報知された場合には、実際には浴槽栓忘れが発生していなかった場合（すなわち、実際には浴槽栓忘れが発生していなかったが、第１の量及び第２の量の湯水を供給しても浴槽水の水位が浴槽アダプタ４８を超えなかった場合）と、実際に浴槽栓忘れが発生していた場合と、があり得る。浴槽栓忘れが報知され、浴槽３０の様子を確認した結果、実際には浴槽栓忘れが発生していなかった場合には、ユーザは、湯水を更に供給する旨の指示、又は湯張り運転を継続する旨の指示を行えばよい。湯水を更に供給する旨の指示が入力された場合には、制御部３６、３６ａは、上述した第３の供給処理及び第３の水位判定処理を実行する。この場合、第１の量を、現状の第１の量と第２の量と第３の量とを足し合わせた量に更新することとすれば、ユーザにとっては、上述したように、次回以降の湯張り運転の際に湯張りに掛かる時間を短縮することができるというメリットがある。一方、湯張り運転を継続する旨の指示が入力された場合は、制御部３６、３６ａの供給制御部１０５が、設定湯量からそれまでに供給した湯水の量を差し引いた量の湯水を供給する処理を実行する。浴槽栓忘れが報知されたものの実際には浴槽栓忘れが発生していなかった場合には、ユーザによっては、第３の供給処理及び第３の水位判定処理を実行する時間を省き、できるだけ早く湯張りを完了させたいと考える場合もある。このような場合に、湯張り運転を継続する旨の指示を入力することにより、それまでにたまった湯水を無駄にすることなく、かつ第３の供給処理及び第３の水位判定処理を実行する場合に比べてより短時間で湯張りを完了することができる。
【００７２】
一方で、浴槽栓忘れが報知され、浴槽３０の様子を確認した結果、実際に浴槽栓忘れが発生していた場合には、ユーザは、浴槽栓を閉め直した後、湯張り運転を最初から実行する旨の指示を行えばよい。この場合、制御部３６、３６ａの供給制御部１０５は、設定湯量の湯水を供給する処理を実行する。これにより、第１の供給処理及び第１の水位判定処理が行われず、設定湯量の湯水が一度に供給されることとなるため、この再度の湯張り運転においては、湯張りに掛かる時間を短縮することができる。以上のように、浴槽栓忘れが報知された後の湯張り運転の動作をユーザが選択可能であることにより、ユーザの利便性を更に向上させることができる。
【００７３】
また、例えば、以上説明した実施の形態１、２に係る湯張り運転では、第１の量、第２の量、及びその後の設定湯量に達するまでの量の湯水を供給する際に、全て設定温度の湯水を供給していたが、本発明はかかる例に限定されない。これらの湯水の温度に差異が設けられてもよい。例えば、制御部３６、３６ａの供給制御部１０５は、第１の量及び第２の量の湯水の温度を、その後に供給する湯水の温度よりも低くしてもよい。この際、第１の量の湯水の温度と第２の量の湯水の温度とは、同じ値に制御されてもよいし、第１の量の湯水の温度の方が第２の量の湯水の温度よりも低くなるように制御されてもよい。ただし、供給制御部１０５は、先に供給する湯水の温度（第１の量の湯水の温度又は第２の量の湯水の温度）を設定温度よりも低くなるように制御するとともに、後から供給する湯水の温度を設定温度よりも高くなるように制御し、最終的に湯張りが完了した時点での浴槽水の温度が設定温度となるように、供給する湯水の温度を調整する。例えば、第１の供給処理後、第１の水位判定処理において浴槽アダプタ４８を超える水位で浴槽水が存在していると判定され、その後設定湯量に達するまでの量の湯水が供給される場合において、設定温度が４２℃である場合であれば、供給制御部１０５は、第１の量の湯水の温度を３６℃とし、第１の水位判定処理後に供給する湯水の温度を４８℃とし、湯張り完了後の浴槽水の温度が設定温度の４２℃となるように制御する。浴槽栓忘れが発生している場合、第１の量及び第２の量の湯水は、浴槽３０にためられることなく排水されることとなるため、ロスとなる。従って、上記のように第１の量及び第２の量の湯水の温度を、その後に供給する湯水の温度よりも低くすることにより、ロスになる可能性がある湯水の温度をより低くすることができるため、無駄なエネルギーの消費を抑制することが可能となる。
【００７４】
また、例えば、以上説明したように、実施の形態１、２においては、第２の量はユーザによって適宜設定されてもよいが、この際、制御部３６、３６ａの供給量設定部１０１は、第２の量に上限値を設定してもよい。ここで、ユーザが第２の量として過度に大きい量を設定した場合には、第２の量を供給した際に湯水が浴槽３０から溢れてしまう恐れがある。第２の量に上限値が設定されることにより、かかる事態を避けることが可能となり、ユーザの使い勝手がより向上する。第２の量の上限値は、給湯機３５の設計者等によって適宜設定されてもよいし、給湯機３５の設置後にユーザによってリモコン４４を介して適宜設定されてもよい。
【００７５】
また、例えば、以上説明したように、実施の形態１、２においては、第２の量は給湯機３５の設計者等によって又はユーザによって適宜設定され得るが、本発明はかかる例に限定されない。例えば、制御部３６、３６ａの供給量設定部１０１が、浴槽断面積に基づいて、当該第２の量を自動的に設定してもよい。具体的には、上述した自動足し湯運転時の動作で説明したように、制御部３６、３６ａの記憶部１０９は、湯張り運転時に浴槽断面積を記憶することができる。例えば、供給量設定部１０１は、給湯機３５の設置後に初めて湯張り運転を実行した際にこの浴槽断面積を記憶し、当該浴槽断面積に応じて第２の量を設定することができる。浴槽断面積が大きいほど、同一の量の湯水を供給した場合における水位の上昇は緩やかになるため、供給量設定部１０１は、浴槽断面積が大きいほど第２の量が大きくなるように、当該第２の量を設定する。例えば、供給量設定部１０１は、浴槽断面積が６０００ｃｍ２である場合には第２の量を１０Ｌに設定し、浴槽断面積が７０００ｃｍ２である場合には第２の量を２０Ｌに設定する。例えば、浴槽断面積と、それに応じた適切な第２の量との関係を示すテーブルが、予め記憶部１０９に記憶されており、供給量設定部１０１は、当該テーブルを参照することにより、浴槽断面積に応じて第２の量を設定することができる。このように浴槽断面積に応じた適切な値に第２の量を設定することにより、次回以降の湯張り運転において、浴槽栓忘れが発生していない場合であって第１の量の湯水を供給しても水位が浴槽アダプタ４８を超えなかった場合に、第２の量の湯水を供給することにより水位が浴槽アダプタ４８を超える可能性が高まる。従って、浴槽栓忘れの誤報知の発生を更に抑制することが可能になる。
【００７６】
また、例えば、以上説明した実施の形態１、２では、給湯機３５は、水位情報を取得する取得部として機能する構成として、水流センサ４６及び水位センサ４７を備えていたが、本発明はかかる例に限定されない。給湯機３５は、水流センサ４６及び水位センサ４７のいずれか一方のみを備えてもよく、その備える構成のみが取得部として機能してもよい。あるいは、給湯機３５は、水流センサ４６及び水位センサ４７の両方を備えるものの、取得部として機能するのはそのうちの一方のみであってもよい。あるいは、給湯機３５における水流センサ４６及び水位センサ４７以外の他の構成が、取得部として機能してもよい。本発明では、取得部として機能する構成は、水位情報を取得可能なものであれば限定されず、任意であってよい。
【００７７】
また、例えば、実施の形態１、２に係る湯張り運転を実行するか、通常の湯張り運転（すなわち、第１の供給処理及び第１の水位判定処理等を行わずに、一度に設定湯量の湯水を供給する湯張り運転）を実行するかを、リモコン４４を介してユーザが選択可能であってもよい。ユーザによっては、浴槽栓忘れが発生していないと明確に認識できている場合には、より早く湯張りを完了させるために、第１の供給処理及び第１の水位判定処理等を行わずに、一度に設定湯量の湯水を供給したいとの要望があり得る。従って、このように実施の形態１、２に係る湯張り運転を実行するか、通常の湯張り運転を実行するかを選択可能とすることにより、浴槽栓忘れの発生を不安に思うユーザは前者を、湯張りに掛かる時間を短縮したいと考えるユーザは後者を選択することができ、ユーザの利便性をより向上させることができる。
【００７８】
また、例えば、以上説明した実施の形態１、２では、給湯機３５は貯湯タンク８を備える貯湯式給湯機であったが、本発明はかかる例に限定されない。本発明は、瞬間式の給湯機に対して適用されてもよい。
【００７９】
なお、以上説明した実施の形態及び変形例に係る構成、機能及び動作については、可能な範囲で互いに組み合わされてもよい。例えば、上述した第３の供給処理及び第３の水位判定処理を行う場合において、第３の水位判定処理において浴槽アダプタ４８を超える水位で浴槽水が存在していないと判定され、浴槽栓忘れが報知された場合（あるいは、第３の水位判定処理の後に更なる湯水の供給処理及び水位判定処理が行われ、浴槽アダプタ４８を超える水位で浴槽水が存在していないと判定され、浴槽栓忘れが報知された場合）に、その後の湯張り運転をどのように行うかを、リモコン４４を介してユーザが選択可能であってもよい。また、例えば、上述した第３の供給処理及び第３の水位判定処理を行う場合（あるいは、第３の水位判定処理の後に更なる湯水の供給処理及び水位判定処理を行う場合）において、先に供給する湯水から後に供給する湯水に掛けて、徐々にこれらの湯水の温度が高くなるように、供給する湯水の温度が制御されてもよい。
【符号の説明】
【００８０】
１圧縮機、３  水冷媒熱交換器、４  膨張弁、５  冷媒配管、６  空気熱交換器、７  ＨＰ（ヒートポンプ）ユニット、８  貯湯タンク、８ａ  水導入口、８ｂ  水導出口、８ｃ  温水導入口、８ｄ  温水導入出口、９  給水管路、９ａ  第１給水配管、９ｂ  第２給水配管、  ９ｃ  第３給水配管、１０  水導出口配管、１１  三方弁、１２  熱源ポンプ、１３  送湯配管、１４  ＨＰ往き配管、１５  ＨＰ戻り配管、１６  第１バイパス配管、１７  第２バイパス配管、１８  四方弁、２０  ふろ用熱交換器、２０ａ  温水導入配管、２０ｂ  温水導出配管、２１  給湯配管、２２  給湯用混合弁、２３  ふろ用混合弁、２４  第１給湯配管、２５  第２給湯配管、２６  ふろ用電磁弁、２７  ふろ往き配管、２８  ふろ戻り配管、２９  ふろ循環ポンプ、３０  浴槽、３１  減圧弁、３３  タンクユニット、３４  給湯栓、３５  給湯機、３６  制御部、３６ａ  制御部、３７  ふろ往き温度センサ、３８  ふろ戻り温度センサ、４２、４３  貯湯温度センサ、４４  リモコン、４４ａ  表示部、４４ｂ  警告文、４５  流量センサ、４６  水流センサ、４７  水位センサ、４８  浴槽アダプタ、１０１  供給量設定部、１０３  水位判定部、１０５  供給制御部、１０７  報知部駆動制御部、１０９  記憶部、２０１  取得部、２０３  報知部、２０５  供給部。
【図１】
2020091075.tif 000003
【図２】
2020091075.tif 000004
【図３】
2020091075.tif 000005
【図４】
2020091075.tif 000006
【図５】
2020091075.tif 000007
【図６】
2020091075.tif 000008